(57)【特許請求の範囲】
【請求項１】
第１コイル（ｗ１）と、
前記第１コイルに接続される第１ブリッジ回路（ＦＢ１）と、
前記第１コイルと磁気結合した第２コイル（ｗ２）と、
前記第２コイルに接続される第２ブリッジ回路（ＦＢ２）と、
を備え、
前記第１ブリッジ回路および前記第２ブリッジ回路間の電気経路には、前記第１コイルおよび前記第２コイルに流れる電流の増減に応じて蓄積エネルギを増減させることが可能なインダクタンス設定がなされており、
前記第１ブリッジ回路は、そのレッグによって、前記第１コイルの一方の端子および他方の端子のそれぞれを、前記第１ブリッジ回路の正極側端子（Ｔｉｐ１）および負極側端子（Ｔｉｎ１）のそれぞれに接続するものであり、
前記第２ブリッジ回路は、そのレッグによって、前記第２コイルの一方の端子および他方の端子のそれぞれを、前記第２ブリッジ回路の正極側端子（Ｔｉｐ２）および負極側端子（Ｔｉｎ２）のそれぞれに接続するものであり、
前記第１ブリッジ回路および前記第２ブリッジ回路のうち、それらに接続されるコイルに印加される電圧が該コイルのターン数によって除算された値が小さい方である低電圧側ブリッジ回路（ＦＢ２）から大きい方である高電圧側ブリッジ回路（ＦＢ１）へと、前記第１コイルおよび前記第２コイルのうち前記低電圧側ブリッジ回路に接続されたコイルである低電圧側コイルおよび該低電圧側コイルと磁気結合したコイルである高電圧側コイルを介して電力を伝送すべく、前記第１ブリッジ回路および前記第２ブリッジ回路を操作する昇圧処理手段（２０）を備え、
前記高電圧側ブリッジ回路は、前記高電圧側コイルの一方の端子を前記正極側端子に接続する正極側流通規制要素（Ｓ１）と、前記一方の端子を前記負極側端子に接続する負極側流通規制要素（Ｓ２）と、前記高電圧側コイルの他方の端子を前記正極側端子に接続する正極側流通規制要素（Ｓ３）と、前記他方の端子を前記負極側端子に接続する負極側流通規制要素（Ｓ４）とを備え、
前記低電圧側ブリッジ回路は、前記低電圧側コイルの一方の端子を前記正極側端子に接続する正極側流通規制要素（Ｓａ）と、前記一方の端子を前記負極側端子に接続する負極側流通規制要素（Ｓｂ）と、前記低電圧側コイルの他方の端子を前記正極側端子に接続する正極側流通規制要素（Ｓｃ）と、前記他方の端子を前記負極側端子に接続する負極側流通規制要素（Ｓｄ）とを備え、
前記高電圧側ブリッジ回路の前記正極側流通規制要素は、電流の流通経路を開閉する開閉機能と、前記電流の流通経路のうち前記高電圧側コイル側から前記正極側端子側へと進む方向の電流を許容して且つ逆方向の電流を阻止する整流機能との少なくとも一方の機能を有し、
前記高電圧側ブリッジ回路の前記負極側流通規制要素は、電流の流通経路を開閉する開閉機能を有し、
前記低電圧側ブリッジ回路の前記正極側流通規制要素及び前記負極側流通規制要素は、電流の流通経路を開閉する開閉機能を有し、
前記昇圧処理手段は、
前記低電圧側コイルの一方の端子を前記正極側端子に接続する前記正極側流通規制要素と、前記低電圧側コイルの他方の端子を前記負極側端子に接続する前記負極側流通規制要素とを同期させてオンとし且つ時比率Ｄを５０％とし、
前記低電圧側コイルの他方の端子を前記正極側端子に接続する前記正極側流通規制要素と、前記低電圧側コイルの一方の端子を前記負極側端子に接続する前記負極側流通規制要素とを、前記低電圧側コイルの一方の端子を前記正極側端子に接続する前記正極側流通規制要素及び前記低電圧側コイルの他方の端子を前記負極側端子に接続する前記負極側流通規制要素のオフ操作に同期させてオンとし且つ時比率Ｄを５０％とし、
前記高圧電側コイルの他方の端子を前記負極側端子に接続する前記負極側流通規制要素を、前記低電圧側コイルの一方の端子を前記正極側端子に接続する前記正極側流通規制要素及び前記低電圧側コイルの他方の端子を前記負極側端子に接続する前記負極側流通規制要素のオン操作に同期させてオンとし、且つ時比率Ｄを５０％未満とし、
前記高圧側コイルの一方の端子を前記負極側端子に接続する前記負極側流通規制要素を、前記低電圧側コイルの他方の端子を前記正極側端子に接続する前記正極側流通規制要素及び前記低電圧側コイルの一方の端子を前記負極側端子に接続する前記負極側流通規制要素のオン操作に同期させてオンとし、且つ時比率を５０％未満とすることを特徴とする、電力伝送装置。
【請求項２】
前記低電圧側ブリッジ回路の前記正極側端子および前記負極側端子間に接続される平滑コンデンサを備え、
前記平滑コンデンサは、前記低電圧側ブリッジ回路の前記正極側端子（Ｔｉｐ２）に接続される電気経路および前記負極側端子（Ｔｉｎ２）に接続される電気経路の一対の電気経路を介して前記低電圧側ブリッジ回路に接続され、
前記一対の電気経路には、分岐路が設けられていないことを特徴とする請求項１に記載の電力伝送装置。
【請求項３】
前記低電圧側ブリッジ回路の前記正極側端子（Ｔｉｐ２）および前記負極側端子（Ｔｉｎ２）間には、平滑コイル（３０）および平滑コンデンサ（Ｃｏ）の直列接続体が接続されており、
前記直列接続体には、スナバコンデンサ（Ｃｓ）および第１スナバ用流通規制要素（Ｄｓ１）が並列接続されており、
前記平滑コンデンサには、前記スナバコンデンサおよび第２スナバ用流通規制要素（Ｄｓ２）が並列接続されており、
前記第１スナバ用流通規制要素（Ｄｓ１）は、前記負極側端子側から前記スナバコンデンサ側への電流の流通を許容して且つ逆方向の流れを阻止する機能を有し、
前記第２スナバ用流通規制要素（Ｄｓ２）は、前記正極側端子側から前記平滑コンデンサ側への電流の流れを許容して且つ逆方向の電流の流れを阻止する機能を有することを特徴とする請求項１に記載の電力伝送装置。
【請求項４】
前記インダクタンス設定は、前記第１コイルおよび前記第２コイル間の磁気結合に関する漏れインダクタンスによって構成されていることを特徴とする請求項１〜３のいずれか１項に記載の電力伝送装置。
【発明の詳細な説明】
【技術分野】
【０００１】
本発明は、トランスを備えて電力を伝送するに際し、昇圧機能を備える電力伝送装置に関する。
【背景技術】
【０００２】
この種の電力伝送装置としては、たとえば下記特許文献１に記載されているように、トランスの２次側コイルと車載バッテリとの間に、フルブリッジ回路および昇圧チョッパ回路を備えるものも提案されている。これにより、車載バッテリの電圧が１次側コイルに接続される系統電源の電圧よりも低い場合であっても、車載バッテリの電力を系統電源に供給することができる。
【先行技術文献】
【特許文献】
【０００３】
【特許文献１】特開２００８−３１２３９５号公報
【発明の概要】
【発明が解決しようとする課題】
【０００４】
ただし、上記装置の場合、系統電源に電力を伝送するために、トランスの２次側コイル側に、昇圧チョッパ回路を備える必要が生じ、部品点数の増大等が問題となる。
【０００５】
本発明は、上記課題を解決する過程でなされたものであり、その目的は、トランスを備えて電力を伝送するに際し、昇圧機能を備える新たな電力伝送装置を提供することにある。
【課題を解決するための手段】
【０００６】
以下、上記課題を解決するための手段、およびその作用効果について記載する。
【０００７】
請求項１記載の発明は、第１コイル（ｗ１）と、前記第１コイルに接続される第１ブリッジ回路（ＦＢ１）と、前記第１コイルと磁気結合した第２コイル（ｗ２）と、前記第２コイルに接続される第２ブリッジ回路（ＦＢ２）と、を備え、前記第１ブリッジ回路および前記第２ブリッジ回路間の電気経路には、前記第１コイルおよび前記第２コイルに流れる電流の増減に応じて蓄積エネルギを増減させることが可能なインダクタンス設定がなされており、前記第１ブリッジ回路は、そのレッグによって、前記第１コイルの一方の端子および他方の端子のそれぞれを、前記第１ブリッジ回路の正極側端子および負極側端子のそれぞれに接続するものであり、前記第２ブリッジ回路は、そのレッグによって、前記第２コイルの一方の端子および他方の端子のそれぞれを、前記第２ブリッジ回路の正極側端子および負極側端子のそれぞれに接続するものであり、前記第１ブリッジ回路および前記第２ブリッジ回路のうち、それらに接続されるコイルに印加される電圧が該コイルのターン数によって除算された値が小さい方である低電圧側ブリッジ回路（ＦＢ２）から大きい方である高電圧側ブリッジ回路（ＦＢ１）へと、前記第１コイルおよび前記第２コイルのうち前記低電圧側ブリッジ回路に接続されたコイルである低電圧側コイルおよび該低電圧側コイルと磁気結合したコイルである高電圧側コイルを介して電力を伝送すべく、前記第１ブリッジ回路および前記第２ブリッジ回路を操作する昇圧処理手段（２０）を備え、前記昇圧処理手段は、前記高電圧側ブリッジ回路の前記正極側端子および前記負極側端子のいずれか一方に接続される側の経路のみを介して前記高電圧側コイルの両端が接続される迂回経路を閉状態とすることで、前記第１ブリッジ回路および前記第２ブリッジ回路間の電気経路の電流を漸増させて該電気経路にエネルギを蓄積する蓄積処理と、前記迂回経路を開状態とすることで、前記蓄積処理によって蓄積されたエネルギを前記高電圧側ブリッジ回路の正極側端子および負極側端子を介して前記高電圧側ブリッジ回路の外部に出力する昇圧処理と、を実行することを特徴とする。
【０００８】
上記発明では、迂回経路を構成することで、第１ブリッジ回路および第２ブリッジ回路間の電気経路にエネルギを蓄えることができる。このため、昇圧処理を行なうことができ、ひいては低電圧側ブリッジ回路から高電圧側ブリッジ回路へとエネルギを伝送することが可能となる。しかもこの処理のために、昇圧回路等を設ける必要もない。
【０００９】
なお、本発明にかかる以下の代表的な実施形態に関する概念の拡張については、代表的な実施形態の後の「その他の実施形態」の欄に記載してある。
【図面の簡単な説明】
【００１０】
【図１】第１の実施形態にかかるシステム構成図。
【図２】同実施形態にかかるトランスの構成を示す図。
【図３】同実施形態にかかる電力入力時のスイッチング操作手法を示すタイムチャート。
【図４】同実施形態にかかる電力入力処理を示す回路図。
【図５】同実施形態にかかる電力出力時のスイッチング操作手法を示すタイムチャート。
【図６】同実施形態にかかる電力出力処理を示す回路図。
【図７】同実施形態にかかる電力出力処理態様を示すタイムチャート。
【図８】第２の実施形態にかかるシステム構成図。
【図９】同実施形態にかかる電力入力時のスイッチング操作手法を示すタイムチャート。
【図１０】同実施形態にかかる電力入力処理を示す回路図。
【図１１】同実施形態にかかる電力出力時のスイッチング操作手法を示すタイムチャート。
【図１２】同実施形態にかかる電力出力処理を示す回路図。
【図１３】同実施形態にかかる電力出力処理を示す回路図。
【図１４】同実施形態にかかる電力出力処理態様を示すタイムチャート。
【図１５】第３の実施形態にかかるシステム構成図。
【図１６】同実施形態にかかるスイッチング操作手法を示すタイムチャート。
【図１７】第４の実施形態にかかるシステム構成図。
【図１８】同実施形態にかかるスイッチング操作手法を示すタイムチャート。
【図１９】第５の実施形態にかかるシステム構成図。
【発明を実施するための形態】
【００１１】
＜第１の実施形態＞
以下、本発明にかかる電力伝送装置を車載電力伝送装置に適用した第１の実施形態について、図面を参照しつつ説明する。
【００１２】
図１に示されるコンバータＣＮＶは、車載電力伝送装置に搭載されるものである。コンバータＣＮＶは、車両の外部の商用電源からの電力を所定の直流電圧とする装置（図示略）の出力部となる第１コンデンサＣｉについて、その電力を第２コンデンサＣｏに供給する機能を有する。また、コンバータＣＮＶは、第２コンデンサＣｏの電力を第１コンデンサＣｉに伝送する機能をも有する。詳しくは、コンバータＣＮＶは、絶縁型コンバータであり、トランスＴを備えて構成されている。
【００１３】
トランスＴの第１コイルｗ１には、第１フルブリッジ回路ＦＢ１が接続されている。第１フルブリッジ回路ＦＢ１は、第１コンデンサＣｉの両電極間に並列接続（短絡接続）されたスイッチング素子Ｓ１およびスイッチング素子Ｓ２の直列接続体（レッグ）と、スイッチング素子Ｓ３およびスイッチング素子Ｓ４の直列接続体（レッグ）とを備えている。そして、上記スイッチング素子Ｓ１およびスイッチング素子Ｓ２の接続点と、スイッチング素子Ｓ３およびスイッチング素子Ｓ４の接続点との間に、トランスＴの第１コイルｗ１が接続されている。ここで、第１フルブリッジ回路ＦＢ１の正極側端子Ｔｉｐ１は、スイッチング素子Ｓ１，Ｓ３の接続点であり、負極側端子Ｔｉｎ１は、スイッチング素子Ｓ２，Ｓ４の接続点である。
【００１４】
なお、本実施形態では、スイッチング素子Ｓ１〜Ｓ４として、ＮチャネルＭＯＳ電界効果トランジスタを例示している。また、図中、ダイオードＤ１〜Ｄ４のそれぞれは、スイッチング素子Ｓ１〜Ｓ４のそれぞれのボディダイオードである。
【００１５】
トランスＴの第２コイルｗ２には、第２フルブリッジ回路ＦＢ２が接続されている。第２フルブリッジ回路ＦＢ２は、第２コンデンサＣｏの両電極間に並列接続（短絡接続）されたスイッチング素子Ｓａおよびスイッチング素子Ｓｂの直列接続体（レッグ）と、スイッチング素子Ｓｃおよびスイッチング素子Ｓｄの直列接続体（レッグ）とを備えている。そして、上記スイッチング素子Ｓａおよびスイッチング素子Ｓｂの接続点と、スイッチング素子Ｓｃおよびスイッチング素子Ｓｄの接続点との間に、トランスＴの第２コイルｗ２が接続されている。ここで、第２フルブリッジ回路ＦＢ２の正極側端子Ｔｉｐ２は、スイッチング素子Ｓａ，Ｓｃの接続点であり、負極側端子Ｔｉｎ２は、スイッチング素子Ｓｂ，Ｓｄの接続点である。
【００１６】
なお、本実施形態では、スイッチング素子Ｓａ〜Ｓｄとして、ＮチャネルＭＯＳ電界効果トランジスタを例示している。また、図中、ダイオードＤａ〜Ｄｄのそれぞれは、スイッチング素子Ｓａ〜Ｓｄのそれぞれのボディダイオードである。
【００１７】
上記第２コンデンサＣｏには、負荷１４が並列接続されている。この負荷１４には、車載主機としての回転機のエネルギ貯蔵手段（バッテリ）が含まれる。なお、本実施形態では、負荷１４側の電圧（端子電圧）の方が、第１コンデンサＣｉ側の電圧Ｖｉよりも低いことを想定している。特に本実施形態では、第１コイルｗ１および第２コイルｗ２のターン数Ｎ１，Ｎ２を用いた場合、「Ｖｉ／Ｎ１＞Ｖｏ／Ｎ２」の関係が成立することを想定している。
【００１８】
図中、第２コイルｗ２と第２フルブリッジ回路ＦＢ２との間には、インダクタｌ２が記載されている。これは、図２に示すように、トランスＴの磁心１１と第１コイルｗ１および第２コイルｗ２との間の間隙を大きくすることで生成される漏れインダクタの等価回路表現である。なお、等価回路表現としては、第１コイルｗ１と第１フルブリッジ回路ＦＢ１との間にインダクタ１２を記載してもよい。
【００１９】
制御装置２０は、スイッチング素子Ｓ１〜Ｓ４のそれぞれや、スイッチング素子Ｓａ〜Ｓｄのそれぞれに、操作信号ｍｓ１〜ｍｓ４や操作信号ｍｓａ〜ｍｓｄのそれぞれを出力することで、第１コイルｗ１および第２コイルｗ２の一方から他方、および他方から一方への電力の伝送処理を行なう。以下では、「外部の商用電源から車載バッテリ側への充電処理」について説明した後、「車載バッテリ側から外部の商用電源への電力の出力処理」について説明する。
「外部の商用電源から車載バッテリ側への充電処理」
これは、第１コイルｗ１側から第２コイルｗ２側への電力の伝送処理である。詳しくは、図３に示すように、操作信号ｍ１，ｍ４と操作信号ｍ２，ｍ３とのそれぞれを互いに同一の信号として且つ、操作信号ｍ１，ｍ４と操作信号ｍ２，ｍ３とで、オン操作指令期間の位相をπだけずらす設定がなされている。図３に示す操作信号ｍｓ１〜ｍｓ４によるスイッチング素子Ｓ１〜Ｓ４の操作によれば、第１フルブリッジ回路ＦＢ１を、直流電圧（第１コンデンサＣｉの電圧）を交流電圧に変換する直流交流変換手段とすることができる。この際、第２フルブリッジ回路ＦＢ２については、そのダイオードＤａ〜Ｄｂが全波整流回路として機能する。
【００２０】
以下、図４を用いて、第１コイルｗ１側から第２コイルｗ２側への電力の伝送処理について定性的な説明を与える。
【００２１】
図４（ａ）は、スイッチング素子Ｓ１〜Ｓ４の全てがオフの状態から、スイッチング素子Ｓ１およびスイッチング素子Ｓ４をオン状態に切り替えた場合を示している。図示されるように、この場合、第１コイルｗ１の印加電圧Ｖｗ１は、絶対値が第１コンデンサＣｉの電圧Ｖｉであって且つ負となる。そして、第１コンデンサＣｉ、スイッチング素子Ｓ１、第１コイルｗ１、およびスイッチング素子Ｓ４を備える閉ループ経路に電流が流れる。一方、第２コイルｗ２の印加電圧Ｖｗ２は、第１コイルｗ１のターン数Ｎ１と第２コイルｗ２のターン数Ｎ２との比（巻数比ｎ）に応じた大きさの電圧「−ｎ・Ｖｉ」となる。これにより、第２コイルｗ２、ダイオードＤｃ、第２コンデンサＣｏ、およびダイオードＤｂを備える経路に電流が流れる。
【００２２】
図４（ｂ）は、スイッチング素子Ｓ１，Ｓ４をオフ状態に切り替えた場合を示している。この場合、インダクタ１２に蓄えられたエネルギを放出すべく、インダクタ１２、第２コイルｗ２、ダイオードＤｃ、第２コンデンサＣｏおよびダイオードＤｂを備える閉ループ経路に電流が流れる。第２コイルｗ２に電流が流れるために、第１コイルｗ１にも、第１コイルｗ１，ダイオードＤ３、第１コンデンサＣｉ、およびダイオードＤ２を備える閉ループ経路に電流が流れる。上記経路に電流が流れることで、第１コイルｗ１の印加電圧Ｖｗ１は、先の図４（ａ）とは逆極性の「Ｖｉ」となる。そしてこれにより、第２コイルｗ２の印加電圧Ｖｗ２は、先の図４（ａ）とは逆極性の「ｎ・Ｖｉ」となる。このため、インダクタ１２に印加される電圧ＶＬは、「−ｎ・Ｖｉ−Ｖｏ」となり、これをインダクタ１２のインダクタンスで除算した値の絶対値に応じて、インダクタ１２に流れる電流が漸減する。
【００２３】
図４（ｃ）は、第１コイルｗ１、第２コイルｗ２およびインダクタ１２に流れる電流が漸減してゼロとなった状態を示す。
【００２４】
なお、図４（ｃ）の状態の後、図４にスイッチング素子Ｓ１，Ｓ４について例示した要領で、スイッチング素子Ｓ２，Ｓ３のオン・オフ操作を行なう。
【００２５】
このように、本実施形態では、第２フルブリッジ回路ＦＢ２のダイオードＤｂ，Ｄｃ（Ｄａ，Ｄｄ）に順方向電流が流れている期間においてこれに逆バイアスが印加されないため、リカバリ電流が流れる事態を回避することができる。これにより、スイッチング素子Ｓ１〜Ｓ４のスイッチング状態の切り替えに際してサージ電圧を好適に低減することができる。これは、次の２つの設定により可能となったものである。第１の設定は、第１フルブリッジ回路ＦＢ１および第２フルブリッジ回路ＦＢ２間にインダクタ１２を設けて且つ、インダクタ１２を流れる電流を漸増させる電圧の印加が停止される場合に、漸減させる電圧を印加する閉ループ経路（図４（ｂ））が構成されるものである。第２の設定は、第２フルブリッジ回路ＦＢ２の正極側端子Ｔｉｐ２および負極側端子Ｔｉｎ２と第２コンデンサＣｏとを接続する電気経路に分岐路がないというものである。
【００２６】
すなわち、この場合、ダイオードＤｂ，Ｄｃ（Ｄａ，Ｄｄ）を流れる順方向電流が漸減してゼロとなるまで、ダイオードＤａ，Ｄｄ（Ｄｂ，Ｄｃ）がオン状態となることはない。このため、リカバリ電流が流れる事態を回避することができ、ひいては、スイッチング素子Ｓ１，Ｓ４（Ｓ２，Ｓ３）をオン状態に切り替える際にサージ電圧が生じることを回避することができる。
【００２７】
また、インダクタ１２を備えることで、スイッチング素子Ｓ１，Ｓ４（Ｓ２，Ｓ３）をオン状態に切り替えた際に、それらを流れる電流の増加速度を制限することができるため、オン状態への切り替えに際してのスイッチング損失を低減することもできる。
【００２８】
先の図１に示すように、本実施形態では、スイッチング素子Ｓ１，Ｓ４（Ｓ２，Ｓ３）のオン・オフの周期Ｔに対するオン時間の時比率Ｄを、コンバータＣＮＶの出力電圧（電圧Ｖｏ）の第１の操作量とする。ここで、時比率Ｄは、第１コンデンサＣｉの充電電圧（電圧Ｖｉ）と、第２コンデンサＣｏの電圧Ｖｏとに加えて、コンバータＣＮＶの出力電流Ｉｏに応じて可変設定される。詳しくは、電圧Ｖｉおよび電圧Ｖｏが同一であったとしても、電流Ｉｏが大きいほど時比率Ｄを大きい値に設定する。このように電圧Ｖｉおよび電圧Ｖｏが同一である場合に時比率Ｄが出力電流Ｉｏに依存することは、本実施形態にかかるコンバータＣＮＶの特徴の１つである。さらに、本実施形態では、スイッチング周波数ｆを、電圧Ｖｏの第２の操作量とする。
【００２９】
「車載バッテリ側から外部の商用電源への電力の出力処理」
これは、第２コイルｗ２側から第１コイルｗ１側への電力の伝送処理である。ここでは、図５に示すように、操作信号ｍｓａ，ｍｓｄと操作信号ｍｓｂ，ｍｓｃとのそれぞれを互いに同一の信号として且つ、操作信号ｍｓａ，ｍｓｄと操作信号ｍｓｂ，ｍｓｃとで、オン操作指令期間の位相をπだけずらす設定がなされている。これにより、第２フルブリッジ回路ＦＢ２を、直流電圧（第２コンデンサＣｏの電圧）を交流電圧に変換する直流交流変換手段とすることができる。
【００３０】
また、操作信号ｍｓａ，ｍｓｄのオン操作指令への切り替えに同期して操作信号ｍｓ４をオン操作指令に切り替え、操作信号ｍｓｂ，ｍｓｃのオン操作指令への切り替えに同期して操作信号ｍｓ２をオン操作指令に切り替える。これは、インダクタ１２に電気エネルギを蓄えるための処理である。
【００３１】
以下、図６を用いて、第２コイルｗ２側から第１コイルｗ１側への電力の伝送処理について定性的な説明を与える。
【００３２】
図６（ａ）には、スイッチング素子Ｓａ，Ｓｄ，Ｓ４をオン状態に切り替えた状態を示している。この場合、第２コイルｗ２側では、第２コンデンサＣｏ、スイッチング素子Ｓａ，インダクタ１２、第２コイルｗ２、およびスイッチング素子Ｓｄを備えるループ経路に電流が流れる。
【００３３】
一方、第１コイルｗ１側では、スイッチング素子Ｓ４，ダイオードＤ２および第１コイルｗ１を備えるループ経路に電流が流れる。このループ経路は、フルブリッジ回路ＦＢ１の正極側端子Ｔｉｐ１および負極側端子Ｔｉｎ１のうち負極側端子Ｔｉｎ側の経路のみを介して第１コイルｗ１の両端を接続する経路である。この経路は、第１コンデンサＣｉを迂回して第１コイルｗ１の両端を低電圧で接続する迂回経路である。
【００３４】
ここで、第１コイルｗ１の電圧Ｖｗ１は、ゼロである（厳密には、ダイオードＤ２やスイッチング素子Ｓ４の電圧降下量程度である）。このため、第２コイルｗ２の電圧Ｖｗ２についてもゼロとみなせる。したがって、インダクタ１２に印加される電圧ＶＬｓを、第２コンデンサＣｏの電圧Ｖｏとみなすことができ、インダクタ１２に流れる電流は、電圧ＶＬｓに比例して漸増する。これにより、インダクタ１２に蓄えられる磁気エネルギも漸増する。
【００３５】
図６（ｂ）は、スイッチング素子Ｓ４をオフ状態に切り替えた状態を示している。この場合、インダクタ１２に蓄えられた磁気エネルギがゼロとなるまでは、インダクタ１２に電流が流れ、ひいては第２コイルｗ２にも電流が流れる。第２コイルｗ２に電流が流れると、第２コイルｗ２と磁気結合している第１コイルｗ１にもアンペールの法則に従って電流が流れる。この電流は、第１コイルｗ１、ダイオードＤ３、第１コンデンサＣｉ、ダイオードＤ２を備えるループ経路を流れる。この処理は、第２コンデンサＣｏの電気エネルギが、第２コンデンサＣｏよりも充電電圧の高い第１コンデンサＣｉに充電される処理であり、昇圧処理となる。なお、この際、第２コイルｗ２の電圧Ｖｗ２が「ｎ・Ｖｉ」となるため、インダクタ１２の電圧ＶＬｓは、「Ｖｏ−ｎ・Ｖｉｎ＜０」となり、インダクタ１２を流れる電流は漸減する。
【００３６】
図６（ｃ）は、インダクタ１２を流れる電流がゼロとなった状態である。図６（ｃ）の状態となると、図６（ａ）に示した処理の要領で、スイッチング素子Ｓｂ，Ｓｃ，Ｓ２をオン状態に切り替える。
【００３７】
このように、インダクタ１２を流れる電流がゼロとなった後にスイッチング素子Ｓｂ，Ｓｃ，Ｓ２（Ｓａ，Ｓｄ，Ｓ４）をオン状態に切り替えるため、スイッチング状態の切り替えに伴う損失を低減することができる。
【００３８】
図７に、第２コイルｗ２側から第１コイルｗ１側への電力の伝送処理に伴う各種状態量の推移を示す。
【００３９】
以下、本実施形態にかかる効果のいくつかを記載する。
【００４０】
（１）第１フルブリッジ回路ＦＢ１と第２フルブリッジ回路ＦＢ２との間にインダクタ１２を備えた。これにより、低電圧側コイル（第２コイルｗ２）側から高電圧側コイル（第１コイルｗ１）側への電力の伝送に際して、インダクタ１２に磁気エネルギを一旦蓄えることで、昇圧処理を行なうこともできる。
【００４１】
（２）第１フルブリッジ回路ＦＢ１を、インダクタ１２を流れる電流が漸増する状態（図６（ａ））において、漸増させるための電圧の印加を停止した場合（図６（ｂ））に、インダクタ１２の電流を漸減させる電圧をインダクタ１２に印加するための経路（Ｄ３，Ｃｉ，Ｄ２）が閉ループとなるように構成した。これにより、昇圧処理（図６）を行なうことができる。
【００４２】
（３）第１フルブリッジ回路ＦＢ１と第２フルブリッジ回路ＦＢ２との間の電気経路のインダクタンス設定を、トランスＴの漏れインダクタによって構成した。これにより、インダクタンス設定に伴う回路規模の増大を好適に抑制することができる。
【００４３】
（４）第１フルブリッジ回路ＦＢ１の正極側端子Ｔｉｐ１および負極側端子Ｔｉｎ１間に第１コンデンサＣｉを短絡接続するとともに、第２フルブリッジ回路ＦＢ２の正極側端子Ｔｉｐ２および負極側端子Ｔｉｎ２間に第２コンデンサＣｏを短絡接続した。これにより、電力伝送装置の回路構成を簡素化することができる。また、第２フルブリッジ回路ＦＢ２と第２コンデンサＣｏとの間のインダクタンスを極力小さくすることができるため（理想的にはゼロ）、第１コンデンサＣｏの電圧Ｖｏや第２コンデンサＣｉの電圧Ｖｉの値にかかわらず、先の図４（ｂ）の状態において、第２フルブリッジ回路ＦＢ２の正極側端子Ｔｉｐ２の電位が負極側端子Ｔｉｎ２の電位より低くなることがない。このため、ダイオードＤｂ，Ｄｃ（Ｄａ，Ｄｄ）に順方向電流が流れている期間において、これに逆バイアスが印加されることを簡易な設定にて回避することができる。
＜第２の実施形態＞
以下、第２の実施形態について、先の第１の実施形態との相違点を中心に図面を参照しつつ説明する。
【００４４】
図８に、本実施形態のシステム構成を示す。なお、図８において、先の図１に示した部材に対応するものについては、便宜上同一の符号を付している。
【００４５】
本実施形態では、第２フルブリッジ回路ＦＢ２と第２コンデンサＣｏとの間に、スナバ回路を設けている点が相違する。スナバ回路は、以下の構成となっている。
【００４６】
すなわち、第２フルブリッジ回路ＦＢ２の正極側端子Ｔｉｐ２と第２コンデンサＣｏとは、平滑コイル３０を介して接続されている。また、第２フルブリッジ回路ＦＢ２の正極側端子Ｔｉｐ２および負極側端子Ｔｉｎ２間には、スナバコンデンサＣｓおよび第１スナバダイオードＤｓ１の直列接続体が接続されている。そして、平滑コイル３０に並列に、スナバコンデンサＣｓおよび第２スナバダイオードＤｓ２が接続されている。
【００４７】
以下では、「外部の商用電源から車載バッテリ側への充電処理」について説明した後、「車載バッテリ側から外部の商用電源への電力の出力処理」について説明する。
「外部の商用電源から車載バッテリ側への充電処理」
本実施形態では、図９に示すように、スイッチング素子Ｑ１（Ｑ２）とスイッチング素子Ｑ４（Ｑ３）とでオン状態への切り替えタイミングとオフ状態への切り替えタイミングとを互いにずらすことでフェーズシフト処理を行う。
【００４８】
以下、図１０を用いて、第１コイルｗ１側から第２コイルｗ２側への電力の伝送処理について定性的な説明を与える。
【００４９】
図１０（ａ）は、スイッチング素子Ｓ１，Ｓ４の双方がオンとなる状態を示している。この場合、第１コイルｗ１側では、第１コンデンサＣｉ，スイッチング素子Ｓ１、第１コイルｗ１、およびスイッチング素子Ｓ４を備えるループ経路で電流が流れる。一方、第２コイルｗ２側では、第２コイルｗ２、インダクタ１２、ダイオードＤａ、平滑コイル３０、第２コンデンサＣｏ，およびダイオードＤｄを備える経路に電流が流れるとともに、平滑コイル３０を迂回してスナバコンデンサＣｓおよび第２スナバダイオードＤｓ２にも電流が流れる。ここで、インダクタ１２や、平滑コイル３０を流れる電流は漸増する。
【００５０】
この際、平滑コイル３０の両端の電圧は、スナバコンデンサＣｓの充電電圧でクランプされる。このため、スナバコンデンサＣｓが存在しない場合と比較して、平滑コイル３０に印加される電圧の絶対値が小さくなる。
【００５１】
図１０（ｂ）は、スイッチング素子Ｓ１がオフ状態に切り替えられた状態を示す。この状態では、インダクタ１２に蓄えられた磁気エネルギのために、第１コイルｗ１側では、第１コイルｗ１、スイッチング素子Ｓ４、およびダイオードＤ２を備えるループ経路に電流が流れる。一方、第２コイルｗ２側では、インダクタ１２、ダイオードＤａ、平滑コイル３０、第２コンデンサＣｏ、およびダイオードＤｄを備える経路に電流が流れる。この際、インダクタ１２の電圧ＶＬｓと平滑コイル３０の電圧ＶＬｏとの合計電圧は、第２コンデンサＣｏの電圧Ｖｏとなる。ここで、平滑コイル３０の電圧ＶＬｏが正となるため、スナバコンデンサＣｓには、第２コンデンサＣｏの電圧Ｖｏに対して平滑コイル３０の電圧ＶＬｏだけ低下した電圧が印加されることとなる。本実施形態では、インダクタ１２のインダクタンスＬｏと平滑コイル３０のインダクタンスＬｓとを用いて、スナバコンデンサＣｓの電圧Ｖｓが、「Ｌｓ・Ｖｏ／（Ｌｏ＋Ｌｓ）」よりも大きくなるように設定されている。この場合、平滑コイル３０の電圧ＶＬｏは、第２コンデンサＣｏの電圧ＶｏとスナバコンデンサＣｓの電圧Ｖｓとの差圧にクランプされ、スナバコンデンサＣｓの放電が開始される。
【００５２】
こうした設定によれば、インダクタ１２の電圧ＶＬｓが大きくなることから、インダクタ１２を流れる電流の減少速度が増大する。これにより、図１０（ｃ）に示すように、インダクタ１２を流れる電流がゼロとなった時点において、平滑コイル３０の電流がスナバコンデンサＣｓの放電電流に等しくなる。
【００５３】
こうした状態が実現した後には、図１０（ａ）に示した要領で、スイッチング素子Ｓ２，Ｓ３をオン状態に切り替える。
【００５４】
このように、本実施形態では、スイッチング素子Ｓ１，Ｓ４（Ｓ２，Ｓ３）のオン操作に先立って、第２フルブリッジ回路ＦＢ２の出力電流を漸減させてゼロとすることができるため、ダイオードＤａ〜Ｄｄのリカバリ電流に伴うサージ電圧を好適に回避することができる。
【００５５】
なお、図１０（ｃ）においては、スイッチング素子Ｓ２をオンとした状態が示されているが、スイッチング素子Ｓ２のオン状態への切り替えに際して第１コイルｗ１に電流が流れていたとしても、この切り替えはゼロボルトスイッチングとなる。これは、ダイオードＤ２に電流が流れている状態でスイッチング状態を切り替えるからである。このフェーズシフト処理は、インダクタ１２に蓄えられた磁気エネルギの放電期間において第１コイルｗ１に電流が流れることを利用して実行されるものである。
「車載バッテリ側から外部の商用電源への電力の出力処理」
本実施形態では、図１１に示すように、操作信号ｍｓａ，ｍｓｄと操作信号ｍｓｂ，ｍｓｃのそれぞれを互いに同一の信号として且つ、操作信号ｍｓａ，ｍｓｄと操作信号ｍｓｂ，ｍｓｃとで、オン操作指令期間の位相をπだけずらす設定がなされている。これにより、第２フルブリッジ回路ＦＢ２を、直流電圧（第２コンデンサＣｏの電圧）を交流電圧に変換する直流交流変換手段とすることができる。
【００５６】
また、操作信号ｍｓａ，ｍｓｄのオン操作指令への切り替えに同期して操作信号ｍｓ４をオン操作指令に切り替え、操作信号ｍｓｂ，ｍｓｃのオン操作指令への切り替えに同期して操作信号ｍｓ２をオン操作指令に切り替える。これは、インダクタ１２に電気エネルギを蓄えるための処理である。
【００５７】
以下、図１２を用いて、第２コイルｗ２側から第１コイルｗ１側への電力の伝送処理について定性的な説明を与える。
【００５８】
図１２（ａ）は、第２フルブリッジ回路ＦＢ２のスイッチング素子Ｓｂ，Ｓｃと第１フルブリッジ回路ＦＢ１のスイッチング素子Ｓ２とが、オン状態に切り替えられた状態を示している。この状態への移行は、インダクタ１２の磁気エネルギがゼロとなる以前に行なわれるため、この状態への移行直後においては、インダクタ１２にそれ以前に流れていた電流が流れる。そしてこれにより、第１コイルｗ１側では、第１コイルｗ１、ダイオードＤ１、第１コンデンサＣｉ，およびダイオードＤ４を備えるループ経路に電流が流れる。一方、第２コイルｗ２側では、第２コイルｗ２、ダイオードＤｃ、スナバコンデンサＣｓ，第２スナバダイオードＤｓ２、第２コンデンサＣｏ、ダイオードＤｂおよびインダクタ１２を備えるループ経路に電流が流れる。この際、平滑コイル３０を流れる電流は、スナバコンデンサＣｓの充電電圧と平滑コイル３０のインダクタンスＬｏとの比に応じて漸減する。また、インダクタ１２を流れる電流は、第２コイルｗ２の電圧からスナバコンデンサＣｓの電圧と第２コンデンサＣｏの電圧の和を減算した値に比例して漸減する。
【００５９】
図１２（ｂ）は、インダクタ１２を流れる電流がゼロとなった後、逆方向に電流が流れ始めた状態を示す。この状態では、第１コイルｗ１側において、第１コイルｗ１、スイッチング素子Ｓ２、ダイオードＤ４を備えるループ経路に電流が流れる。すなわち、第１フルブリッジ回路ＦＢ１の正極側端子Ｔｉｐ１と負極側端子Ｔｉｎ１とのうち、負極側端子Ｔｉｎ１に接続される側のみに接続される電気経路によって、第１コンデンサＣｉを迂回する迂回経路が形成される。
【００６０】
この場合、第１コイルｗ１および第２コイルｗ２に印加される電圧をゼロとみなすことができる。このため、第２コンデンサＣｏ、平滑コイル３０、スイッチング素子Ｓｃ、第２コイルｗ２、インダクタ１２、およびスイッチング素子Ｓｂを備えるループ経路を流れる電流が漸増する。ここで、図１２（ｂ）に示す状態では、スナバコンデンサＣｓが充電されている。これは、インダクタ１２を流れる電流が平滑コイル３０を流れる電流まで増加する間の期間において、平滑コイル３０の電流の一部がスナバコンデンサＣｓに流入するために生じる。
【００６１】
図１２（ｃ）は、スナバコンデンサＣｓの充電電流がゼロとなった状態を示す。その後、スナバコンデンサＣｓの電圧Ｖｓが、第２コンデンサＣｏの電圧Ｖｏから「Ｌｏ・Ｖｏ／（Ｌｏ＋Ｌｓ）」を引いた値よりも大きいために、スナバコンデンサＣｓが放電を開始する。そしてこれに伴い、平滑コイル３０の電圧ＶＬｏの絶対値は、第２コンデンサＣｏの電圧Ｖｏを「Ｌｏ：Ｌｓ」に分圧したものよりも小さくなる。
【００６２】
図１３（ａ）は、スイッチング素子Ｓ２をオフとした状態を示す。この場合、第１コイルｗ１側では、第１コイルｗ１、ダイオードＤ１、第１コンデンサＣｉ，ダイオードＤ４を備えるループ経路に電流が流れる。これは、インダクタ１２に蓄えられた磁気エネルギが放出されることで生じる現象である。これにより、第２コイルｗ２の電圧Ｖｗ２は、「−ｎ・Ｖｉ」となり、これが、第２コンデンサＣｏの電圧Ｖｏよりも高いために、インダクタ１２を流れる電流は漸減する。
【００６３】
ただし、スイッチング素子Ｓ２をオフ操作する直前において、スナバコンデンサＣｓに放電電流が流れていたため、オフ操作した時点においては、インダクタ１２を流れる電流と平滑コイル３０を流れる電流とが一致しない。このため、インダクタ１２を流れる電流が減少してその絶対値が平滑コイル３０を流れる電流の絶対値に一致するまでは、スナバコンデンサＣｓが放電を継続する。そして、この場合、平滑コイル３０に印加される電圧ＶＬｏは、平滑コイル３０に流れる電流を漸増させるものとなる。
【００６４】
その後、インダクタ１２を流れる電流と平滑コイル３０を流れる電流とが一致することで、図１３（ｂ）に示すように、スナバコンデンサＣｓの放電が終了する。
【００６５】
図１３（ｃ）は、スイッチング素子Ｓｂ、Ｓｃをオフ操作して且つ、スイッチング素子Ｓａ，Ｓｄ，Ｓ４をオン操作した状態であり、先の図１２（ａ）に示した状態に対応する。
【００６６】
図１４に、上記処理における各種電気的な状態量の推移を示す。なお、図中、「Ｓｃ−Ｓｄ間電圧」は、スイッチング素子Ｓｃ，Ｓｄの直列接続体の両端電圧である。
【００６７】
以下、上記実施形態の効果について、先の第１の実施形態の効果（１）、（３）以外のいくつかを記載する。
【００６８】
（６）スナバコンデンサＣｓの静電容量等の設定によって、インダクタ１２の電流の漸減速度を平滑コイル３０のそれよりも十分に上昇させた（図１０）。これにより、平滑コイル３０を流れる電流を連続モードとしつつも、第２コイルｗ２に印加される電圧の極性反転に先立って第２フルブリッジ回路ＦＢ２の出力電流をゼロとすることができ、ひいてはリカバリ電流に起因したサージを好適に回避することができる。
【００６９】
（７）インダクタ１２を利用することで、フェーズシフト処理を行った。これにより、フェーズシフト処理を行なうに際して、別途インダクタを備える必要が生じない。
＜第３の実施形態＞
以下、第３の実施形態について、先の第１の実施形態との相違点を中心に図面を参照しつつ説明する。
【００７０】
図１５に、本実施形態のシステム構成を示す。なお、図１５において、先の図１に示した部材に対応するものについては、便宜上同一の符号を付している。
【００７１】
図示されるように、本実施形態では、第１フルブリッジ回路ＦＢ１および第２フルブリッジ回路ＦＢ２に代えて、第１ハーフブリッジ回路ＨＢ１および第２ハーフブリッジ回路ＨＢ２を備える。これら第１ハーフブリッジ回路ＨＢ１および第２ハーフブリッジ回路ＨＢ２は、いずれも一対のスイッチング素子の直列接続体と、一対のコンデンサの直列接続体との並列接続体である。
【００７２】
すなわち、第１ハーフブリッジ回路ＨＢ１は、スイッチング素子Ｓ１、Ｓ２の直列接続体と、コンデンサＣ１，Ｃ２の直列接続体との並列接続体である。また、第２ハーフブリッジ回路ＨＢ２は、スイッチング素子Ｓａ，Ｓｂの直列接続体と、コンデンサＣａ，Ｃｂの直列接続体との並列接続体である。
【００７３】
図１６（ａ）に、「外部の商用電源から車載バッテリ側への充電処理」におけるスイッチング制御手法を示す。図示されるように、この場合、スイッチング素子Ｓ１，Ｓ２を、互いにπだけ位相をずらしつつ交互にオン操作する。
【００７４】
図１６（ｂ）に、「車載バッテリ側から外部の商用電源への電力の出力処理」におけるスイッチング制御手法を示す。図示されるように、この場合、スイッチング素子Ｓａ，Ｓｂを交互にオン操作して且つ、スイッチング素子Ｓａ（Ｓｂ）がオン操作されるのに同期してスイッチング素子Ｓ２（Ｓ１）をオン操作する。
【００７５】
ここで、スイッチング素子Ｓａ，Ｓ２がオン操作されることで、第１コイルｗ１側では、第１コイルｗ１、スイッチング素子Ｓ２、コンデンサＣ２を備えるループ経路に電流が流れる。この電気経路は、第１コンデンサＣｉを迂回する迂回経路である。この迂回経路に電流が流れることで、インダクタ１２に磁気エネルギを蓄えることができる。
＜第４の実施形態＞
以下、第４の実施形態について、先の第１の実施形態との相違点を中心に図面を参照しつつ説明する。
【００７６】
図１７に、本実施形態のシステム構成を示す。なお、図１７において、先の図１に示した部材に対応するものについては、便宜上同一の符号を付している。
【００７７】
図示されるように、本実施形態では、第１フルブリッジ回路ＦＢ１および第２フルブリッジ回路ＦＢ２に代えて、第１整流ブリッジ回路ＲＢ１および第２整流ブリッジ回路ＲＢ２を備える。
【００７８】
第１整流ブリッジ回路ＲＢ１は、高電位側のスイッチング素子Ｓ１および低電位側のダイオードＤ２の直列接続体と、高電位側のダイオードＤ３および低電位側のスイッチング素子Ｓ４の直列接続体との並列接続体である。第２整流ブリッジ回路ＲＢ２は、高電位側のスイッチング素子Ｓｃおよび低電位側のダイオードＤｄの直列接続体と、高電位側のダイオードＤａおよび低電位側のスイッチング素子Ｓｂの直列接続体との並列接続体である。
【００７９】
図１８（ａ）に、「外部の商用電源から車載バッテリ側への充電処理」におけるスイッチング制御手法を示す。図示されるように、この場合、スイッチング素子Ｓ１，Ｓ４の双方がオン状態となる期間と、オフ状態となる期間とを交互に生成する。
【００８０】
図１８（ｂ）に、「車載バッテリ側から外部の商用電源への電力の出力処理」におけるスイッチング制御手法を示す。図示されるように、この場合、スイッチング素子Ｓｂ，Ｓｃの双方をオン状態とする期間と、オフ状態とする期間とを交互に実現して且つ、スイッチング素子Ｓｂ，Ｓｃがオン操作されるのに同期してスイッチング素子Ｓ４をオン操作する。ここで、スイッチング素子Ｓ４がオン操作される期間において、インダクタ１２に磁気エネルギを蓄えるべく、本実施形態では、この期間に第１コイルｗ１に誘起される電圧の極性が、第１コイルｗ１、スイッチング素子Ｓ４およびダイオードＤ２を備えるループ経路においてダイオードＤ２の順方向に電流を流すことができるものとなるようにする。
＜第５の実施形態＞
以下、第５の実施形態について、先の第２の実施形態との相違点を中心に図面を参照しつつ説明する。
【００８１】
図１９に、本実施形態のシステム構成を示す。なお、図１９において、先の図８に示した部材に対応するものについては、便宜上同一の符号を付している。
【００８２】
図示されるように、本実施形態では、第１スナバダイオードＤｓ１に、スイッチング素子Ｓｓを並列接続する。これにより、スイッチング素子Ｓｓをオン操作する場合には、スナバコンデンサＣｓを平滑コンデンサとすることができる。この場合、スナバコンデンサＣｓと平滑コイル３０とは、ＬＣフィルタを構成するため、「車載バッテリ側から外部の商用電源への電力の出力処理」において、第２コイルｗ２に印加可能な電圧を大きくすることができる。
＜その他の実施形態＞
なお、上記各実施形態は、以下のように変更して実施してもよい。
【００８３】
「高電圧側ブリッジ回路（ＦＢ１，ＨＢ１，Ｂ１）について」
ａ）第１フルブリッジ回路ＦＢ１
上記第１の実施形態（図１）や第２の実施形態（図８）において、コンデンサＣｏ側からコンデンサＣｉ側への電力の伝送処理のみを可能とする機能とするなら、スイッチング素子１，３は必須ではない。換言すれば、第１コイルｗ１の端子とコンデンサＣｉの正極とを接続する正極側流通規制要素にとって開閉機能（Ｓ１，Ｓ３）は必須ではなく、整流機能（Ｄ１，Ｄ３）のみを備えてもよい。
【００８４】
上記第１の実施形態（図１）や第２の実施形態（図８）において、ダイオードＤ２，Ｄ４は必須ではない。換言すれば、第１コイルｗ１の端子とコンデンサＣｉの負極とを接続する負極側流通規制要素にとって整流機能（Ｄ２，Ｄ４）は必須ではなく、開閉機能（Ｓ２，Ｓ４）のみを備えてもよい。
【００８５】
ｂ）第１ハーフブリッジ回路ＨＢ１
上記第３の実施形態（図１５，１６）において、操作信号ｍｓ１をオン操作指令からオフ操作指令に切り替えるとともに、操作信号ｍｓ２をオフ操作指令からオン操作指令に切り替える等、スイッチング素子Ｓ１，Ｓ２を同期整流素子として利用する場合には、ダイオードＤ１，Ｄ２は必須ではない。
【００８６】
ｃ）第１整流ブリッジ回路ＲＢ１
上記第４の実施形態（図１７）において、ダイオードＤ２，Ｄ３に並列にスイッチング素子を接続してもよい。すなわち、第１コイルｗ１の一方の端子に接続される負極側流通規制要素や、第１コイルｗ１の他方の端子に接続される正極側流通規制要素を、スイッチング素子とダイオードとを備えて構成してもよい。
【００８７】
「低電圧側ブリッジ回路（ＦＢ２，ＨＢ２，Ｂ２）について」
たとえば、上記第２の実施形態（図８）において、第２フルブリッジ回路ＦＢ２に代えて、上記第３の実施形態（図１５）に例示したように、第２ハーフブリッジ回路ＨＢ２を用いてもよく、またたとえば、上記第４の実施形態（図１７）に例示した第２整流ブリッジ回路ＲＢ２を用いてもよい。
【００８８】
「インダクタンス設定について」
上記各実施形態では、インダクタ１２を、トランスＴの漏れインダクタとして構成したがこれに限らず、インダクタンス素子を用いてもよい。この際、インダクタンス素子の配置箇所は、第２コイルｗ２および第２フルブリッジ回路ＦＢ２間と、第１フルブリッジ回路ＦＢ１および第１コイルｗ１間との少なくとも一方とすればよい。
【００８９】
「スナバコンデンサＣｓの静電容量の設定について」
先の図１０に例示したように、インダクタ１２を流れる電流がゼロとなった後にもスナバコンデンサＣｓの放電電流が平滑コイル３０に供給される設定に限らない。こうした設定としなくても、スナバ回路によって、サージを吸収することなどはできる。
【００９０】
「スナバ回路について」
第１スナバ用流通規制要素としては、第１スナバダイオードＤｓ１に限らず、第１スナバダイオードＤｓ１に順方向電流が流れる期間にわたってオン状態に制御されるスイッチング素子であってもよい。
【００９１】
第２スナバ用流通規制要素としては、第２スナバダイオードＤｓ２に限らず、第２スナバダイオードＤｓ２に順方向電流が流れる期間にわたってオン状態に制御されるスイッチング素子であってもよい。
【００９２】
上記第２の実施形態（図８）において、第１スナバダイオードＤｓ１と第２スナバダイオードＤｓ２との間に、インダクタを備えてもよい。
【００９３】
「外部の商用電源から車載バッテリ側への充電処理について」
上記第１の実施形態（図４）において、インダクタ１２を流れる電流がゼロとなる以前にスイッチング素子Ｓ２，Ｓ３（Ｓ１，Ｓ４）をオン操作してもよい。ただし、スイッチング素子Ｓ２、Ｓ３のオン期間と、スイッチング素子Ｓ１，Ｓ４のオン期間との対称性を保つうえでは、スイッチング素子Ｓ２，Ｓ３（Ｓ１，Ｓ４）のオン期間の中央のタイミングよりも以前に、インダクタ１２を流れる電流が漸減してゼロとなる（ゼロを通過する）ようにすることが望ましい。
【００９４】
上記第１の実施形態において、フェーズシフト処理を行ってもよい。これは、インダクタ１２を利用することで実現できる。
【００９５】
上記第２の実施形態において、フェーズシフト処理を行わず、ハードスイッチング処理としてもよい。
【００９６】
「第２フルブリッジ回路ＦＢ２と第２コンデンサＣｏとの接続について」
上記第１の実施形態（図１）において、第２フルブリッジ回路ＦＢ２の正極側端子Ｔｉｐ２と第２コンデンサＣｏとの間に、平滑コイルを設けてもよい。この場合であっても、平滑コイルのインダクタンスの設定によっては、インダクタ１２および平滑コイルを流れる電流を同一量として漸減速度を同一とすることができるため、ダイオードＤａ〜Ｄｄにリカバリ電流が流れる事態を好適に回避することができ、ひいてはサージ電圧を好適に低減することができる。ここで、インダクタンスＬｏの設定は、「Ｖｏ−ＶＬｏ≧０」を満たすものであればよい。すなわち、第１コンデンサＣｉの電圧Ｖｏや第２コンデンサＣｏの電圧Ｖｏのとり得る値の範囲で「Ｌｏ／Ｌｓ≦ｎＶｏ／Ｖｉｎ」を満たすようにするという条件を満たせばよい。もっとも、サージがさほど問題とならない状況においては、上記条件が成立することは必須ではない。
【００９７】
「コンバータＣＮＶの用途について」
車両の外部の商用電源の電力を車載高電圧バッテリに充電するための電力変換回路を構成するものに限らない。
【符号の説明】
【００９８】
Ｃｉ…第１コンデンサ、Ｃｏ…第２コンデンサ、ＦＢ１…第１フルブリッジ回路（高電圧側ブリッジ回路の一実施形態）、ＦＢ２…第２フルブリッジ回路（低電圧側ブリッジ回路の一実施形態）。
【図１】
0006035882.tif 000002
【図２】
0006035882.tif 000003
【図３】
0006035882.tif 000004
【図４】
0006035882.tif 000005
【図５】
0006035882.tif 000006
【図６】
0006035882.tif 000007
【図７】
0006035882.tif 000008
【図８】
0006035882.tif 000009
【図９】
0006035882.tif 000010
【図１０】
0006035882.tif 000011
【図１１】
0006035882.tif 000012
【図１２】
0006035882.tif 000013
【図１３】
0006035882.tif 000014
【図１４】
0006035882.tif 000015
【図１５】
0006035882.tif 000016
【図１６】
0006035882.tif 000017
【図１７】
0006035882.tif 000018
【図１８】
0006035882.tif 000019
【図１９】
0006035882.tif 000020